【手続補正書】
【提出日】平成26年3月24日(2014.3.24)
【手続補正１】
【補正対象書類名】明細書
【補正対象項目名】発明の名称
【補正方法】変更
【補正の内容】
【発明の名称】撮影機器及びこの撮影機器と通信する外部機器，撮影機器及び外部器機からなるカメラシステム，撮影機器の撮影制御方法及び撮影制御プログラム，外部機器の撮影制御方法及び撮影制御プログラム
【手続補正２】
【補正対象書類名】明細書
【補正対象項目名】０００１
【補正方法】変更
【補正の内容】
【０００１】
この発明は、外部機器との間で無線通信を行なって画像データを送信し得る撮影機器であって、外部機器からの指示に応じて遠隔操作され得る撮影機器と、この撮影機器と通信する外部機器と、その撮影機器及び外部機器からなるカメラシステム、さらに、上記撮影機器の撮影制御方法及び撮影制御プログラムと、上記外部機器の撮影制御方法及び撮影制御プログラムに関するものである。
【手続補正３】
【補正対象書類名】明細書
【補正対象項目名】０００８
【補正方法】変更
【補正の内容】
【０００８】
本発明は、上述した点に鑑みてなされたものであって、その目的とするところは、外部機器との間で無線通信を行なって画像データを送信し得る撮影機器であって、送信すべき画像データの画像サイズに関する画像処理を、無線通信の使用環境状況や外部機器からの操作指示等に応じて行ない、常に適切な形態の画像データを外部機器へ向けて送信し得るので、無線通信環境が良好な時には高速な画像データ転送を行ない得る一方、たとえ無線通信環境が悪化したとしても画像データの転送を継続して行なうことができ、よって使用感を損ねることのない撮影機器及びこの撮影機器と通信する外部機器，撮影機器及び外部器機からなるカメラシステム，撮影機器の撮影制御方法及び撮影制御プログラム，外部機器の撮影制御方法及び撮影制御プログラムを提供することである。
【手続補正４】
【補正対象書類名】明細書
【補正対象項目名】０００９
【補正方法】変更
【補正の内容】
【０００９】
上記目的を達成するために、本発明の一態様の撮影機器は、撮像素子及び撮影レンズを備えた撮像手段と、第１の画像処理手段と第２の画像処理手段とからなり上記撮像手段からの出力される画像データを受けて、それぞれが異なる画像処理を同時に並行して実行する二つの画像処理手段と、上記二つの画像処理手段からそれぞれ出力される画像データに基く二画像を一画面上に同時に表示する表示手段と、外部機器との間で無線通信を行なう通信制御手段と、機器全体を制御する制御手段と、を具備し、上記通信制御手段を介して受信された上記外部機器からの指示信号に応じて、上記撮像手段により取得された画像データに対して、上記第１の画像処理手段は、上記撮像手段により取得された画像データのリサイズ処理を行ない、第２の画像処理手段は、上記撮像手段により取得された画像データに基く画像中の一部の領域を切り取るトリミング処理を行なって画像サイズの異なる二種類の画像データを生成し、上記通信制御手段は、上記二つの画像処理手段により生成された上記二種類の画像データを送信する。
また、本発明の一態様のカメラシステムは、撮像素子及び撮影レンズを備えた撮像手段と、第１の画像処理手段と第２の画像処理手段とからなり上記撮像手段からの出力される画像データを受けて異なる画像処理を行なう二つの画像処理手段と、上記二つの画像処理手段から出力される画像データに基く画像を表示する表示手段と、外部機器との間で無線通信を行なう通信制御手段と、機器全体を制御する制御手段とを具備する撮影機器と、上記撮影機器との間で無線通信を行なう端末側通信制御手段と、上記端末側通信制御手段を介して受信される画像データに基く画像を表示する端末側表示手段と、操作入力指示を行なう操作部材と、機器全体を制御する端末側制御手段とを具備する外部機器と、を具備し、上記操作部材から生じ上記端末側通信制御手段から送信され上記通信制御手段を介して受信された操作入力指示信号に応じて、上記撮像手段によって取得された画像データに対して上記第１の画像処理手段は、上記撮像手段により取得された画像データのリサイズ処理を行ない、第２の画像処理手段は、上記撮像手段により取得された画像データに基く画像中の一部の領域を切り取るトリミング処理を行なって画像サイズの異なる二種類の画像データを生成し、上記通信制御手段は、上記二つの画像処理手段により生成された上記二種類の画像データを送信し、上記端末側通信制御手段は、上記二種類の画像データを受信して、上記端末側表示手段によって画像表示する。
本発明の一態様の撮影機器の撮影制御方法は、外部機器からの指示信号に応じて、撮像手段により生成された画像データに対して、画像データのリサイズ処理と画像中の一部の領域を切り取るトリミング処理との異なる二つの画像処理を同時に並行して実行して、画像サイズの異なる二種類の画像データを生成し、上記二種類の画像データに基づく二画像を一画面上に同時に表示し、上記外部機器へと送信する。
本発明の一態様の撮影機器の撮影制御プログラムは、撮像手段によって画像データを生成するステップと、上記通信制御手段を介して受信された上記外部機器からの指示信号に応じて、上記撮像手段により取得された画像データに対して、第１の画像処理手段は上記画像データのリサイズ処理を、第２の画像処理手段は上記画像データに基く画像中の一部の領域を切り取るトリミング処理を、それぞれが同時に並行して実行して、画像サイズの異なる二種類の画像データを生成するステップと、上記第１の画像処理手段及び上記第２の画像処理手段のそれぞれから出力される画像データに基く二つの画像を一画面上に同時に表示するステップと、上記二種類の画像データを外部機器へと送信するステップと、を含む。
【手続補正５】
【補正対象書類名】明細書
【補正対象項目名】００１０
【補正方法】変更
【補正の内容】
【００１０】
本発明によれば、外部機器との間で無線通信を行なって画像データを送信し得る撮影機器であって、送信すべき画像データの画像サイズに関する画像処理を、無線通信の使用環境状況や外部機器からの操作指示等に応じて行ない、常に適切な形態の画像データを外部機器へ向けて送信し得るので、無線通信環境が良好な時には高速な画像データ転送を行ない得る一方、たとえ無線通信環境が悪化したとしても画像データの転送を継続して行なうことができ、よって使用感を損ねることのない撮影機器及びこの撮影機器と通信する外部機器，撮影機器及び外部器機からなるカメラシステム，撮影機器の撮影制御方法及び撮影制御プログラム，外部機器の撮影制御方法及び撮影制御プログラムを提供することができる。
【手続補正６】
【補正対象書類名】特許請求の範囲
【補正対象項目名】全文
【補正方法】変更
【補正の内容】
【特許請求の範囲】
【請求項１】
撮像素子及び撮影レンズを備えた撮像手段と、
第１の画像処理手段と第２の画像処理手段とからなり、上記撮像手段からの出力される画像データを受けて、それぞれが異なる画像処理を同時に並行して実行する二つの画像処理手段と、
上記二つの画像処理手段からそれぞれ出力される画像データに基く二画像を一画面上に同時に表示する表示手段と、
外部機器との間で無線通信を行なう通信制御手段と、
機器全体を制御する制御手段と、
を具備し、
上記通信制御手段を介して受信された上記外部機器からの指示信号に応じて、上記撮像手段により取得された画像データに対して、上記第１の画像処理手段は、上記撮像手段により取得された画像データのリサイズ処理を行ない、第２の画像処理手段は、上記撮像手段により取得された画像データに基く画像中の一部の領域を切り取るトリミング処理を行なって画像サイズの異なる二種類の画像データを生成し、
上記通信制御手段は、上記二つの画像処理手段により生成された上記二種類の画像データを送信することを特徴とする撮影機器。
【請求項２】
請求項1に記載の撮影機器との間で無線通信を行なう通信制御手段と、
上記通信制御手段を介して受信した画像データに基く画像を表示する表示手段と、
操作入力指示を行なう操作部材と、
機器全体を制御する制御手段と、
を具備し、
上記通信制御手段は、上記操作部材による操作指示信号を上記撮影機器へと送信し、該撮影機器を遠隔操作し得ることを特徴とする外部機器。
【請求項３】
上記操作部材はタッチパネルからなり、
上記操作部材による入力指示信号は、上記通信制御手段を介して上記撮影機器へと送信されることを特徴とする請求項２に記載の外部機器。
【請求項４】
撮像素子及び撮影レンズを備えた撮像手段と、第１の画像処理手段と第２の画像処理手段とからなり上記撮像手段からの出力される画像データを受けて異なる画像処理を行なう二つの画像処理手段と、上記二つの画像処理手段から出力される画像データに基く画像を表示する表示手段と、外部機器との間で無線通信を行なう通信制御手段と、機器全体を制御する制御手段とを具備する撮影機器と、
上記撮影機器との間で無線通信を行なう端末側通信制御手段と、上記端末側通信制御手段を介して受信される画像データに基く画像を表示する端末側表示手段と、操作入力指示を行なう操作部材と、機器全体を制御する端末側制御手段とを具備する外部機器と、
を具備し、
上記操作部材から生じ上記端末側通信制御手段から送信され上記通信制御手段を介して受信された操作入力指示信号に応じて、上記撮像手段によって取得された画像データに対して上記第１の画像処理手段は、上記撮像手段により取得された画像データのリサイズ処理を行ない、第２の画像処理手段は、上記撮像手段により取得された画像データに基く画像中の一部の領域を切り取るトリミング処理を行なって画像サイズの異なる二種類の画像データを生成し、
上記通信制御手段は、上記二つの画像処理手段により生成された上記二種類の画像データを送信し、
上記端末側通信制御手段は、上記二種類の画像データを受信して、上記端末側表示手段によって画像表示することを特徴とするカメラシステム。
【請求項５】
外部機器からの指示信号に応じて、
撮像手段により生成された画像データに対して、
画像データのリサイズ処理と画像中の一部の領域を切り取るトリミング処理との異なる二つの画像処理を同時に並行して実行して、画像サイズの異なる二種類の画像データを生成し、
上記二種類の画像データに基づく二画像を一画面上に同時に表示し、上記外部機器へと送信することを特徴とする撮影機器の撮影制御方法。
【請求項６】
撮像手段によって画像データを生成するステップと、
上記通信制御手段を介して受信された上記外部機器からの指示信号に応じて、上記撮像手段により取得された画像データに対して、第１の画像処理手段は上記画像データのリサイズ処理を、第２の画像処理手段は上記画像データに基く画像中の一部の領域を切り取るトリミング処理を、それぞれが同時に並行して実行して、画像サイズの異なる二種類の画像データを生成するステップと、
上記第１の画像処理手段及び上記第２の画像処理手段のそれぞれから出力される画像データに基く二つの画像を一画面上に同時に表示するステップと、
上記二種類の画像データを外部機器へと送信するステップと、
を含むことを特徴とする撮影機器の撮影制御プログラム。
【請求項７】
請求項１に記載の撮影機器との間で無線通信を行なって、操作部材からの操作入力指示信号を上記撮影機器へと送信して上記撮影機器を遠隔操作し、
上記撮影機器によって所得された画像データを受信し、受信した画像データに基く画像を表示することを特徴とする外部機器の撮影制御方法。
【請求項８】
請求項１に記載の撮影機器との間で無線通信を行なうステップと、
上記無線通信により受信した画像データに基く画像を表示するステップと、
上記操作部材からの操作入力指示信号を上記撮影機器へと送信して、上記撮影機器を遠隔操作するステップと、
を含むことを特徴とする外部機器の撮影制御プログラム。